(57)【要約】【課題】録画済み番組の番組表を効率的に表示し、視聴者が録画番組を視聴する際に容易に録画番組を選択できる放送受信機および録画番組表示方法を提供する。【解決手段】放送受信機は、録画指定された少なくとも１つのチャンネルの番組を録画指定された時間帯に亘って録画し、前記時間帯のうちの最も古い一部の時間帯の少なくとも１つの録画番組を自動削除する録画処理部と、録画指定された前記少なくとも１つのチャンネルの録画番組であって録画指定された前記時間帯に含まれる録画番組についての表である録画番組表を生成し、前記録画番組表上に、録画番組が前記自動削除によって再生不能となった前記一部の時間帯を示すための表示を行う録画番組表生成部と、を具備する。【選択図】図９
2011176893.tif 000002
【特許請求の範囲】
【請求項１】
録画指定された少なくとも１つのチャンネルの番組を録画指定された時間帯に亘って録画し、前記時間帯のうちの最も古い一部の時間帯の少なくとも１つの録画番組を自動削除する録画処理部と、
録画指定された前記少なくとも１つのチャンネルの録画番組であって録画指定された前記時間帯に含まれる録画番組についての表である録画番組表を生成し、前記録画番組表上に、録画番組が前記自動削除によって再生不能となった前記一部の時間帯を示すための表示を行う録画番組表生成部と、
を具備したことを特徴とする放送受信機。
【請求項２】
前記録画番組表生成部は、前記録画処理部によって録画された録画番組のうち移動又はコピーされた録画番組を移動又はコピーされていない録画番組と区別するための表示を行う
ことを特徴とする請求項１に記載の放送受信機。
【請求項３】
前記録画番組表生成部は、前記自動削除により前記録画番組のうち少なくとも一つの録画番組の一部が消去されている場合、当該一つの録画番組のうち消去されている時間帯と消去されていない時間帯とを区別して表示する
ことを特徴とする請求項２に記載の放送受信機。
【請求項４】
前記録画番組表生成部は、前記録画番組表上に録画指定されていないチャンネルの番組を含む場合には、前記録画指定されていないチャンネルと録画指定されているチャンネルとを区別するための表示を行う
ことを特徴とする請求項２に記載の放送受信機。
【請求項５】
前記録画番組表生成部は、録画指定された前記時間帯における録画番組以外の番組を除いて前記録画番組表を生成する
ことを特徴とする請求項３又は４のいずれか一方に記載の放送受信機。
【請求項６】
録画処理部が、録画指定された少なくとも１つのチャンネルの番組を録画指定された時間帯に亘って録画し、
録画処理部が、前記時間帯のうちの最も古い一部の時間帯の少なくとも１つの録画番組を自動削除し、
録画番組表生成部が、録画指定された前記少なくとも１つのチャンネルの録画番組であって録画指定された前記時間帯に含まれる録画番組についての表である録画番組表を生成し、前記録画番組表上に、録画番組が前記自動削除によって再生不能となった前記一部の時間帯を示すための表示を行う
ことを特徴とする録画番組表示方法。
【発明の詳細な説明】
【技術分野】
【０００１】
本発明は、デジタル放送によって受信した番組を録画することが可能な放送受信機および録画済み番組の録画番組表示方法に関する。
【背景技術】
【０００２】
近年、地上デジタル放送、ＢＳ／ＣＳデジタル放送が本格的に運用され、多くの番組が高画質、高音質で視聴できる環境が整ってきた。デジタル放送は、電子番組表（ＥＰＧ（Electronic Program Guide））の仕組みが備えられており、受信機のリモコンのボタンを押すだけで、当日あるいは１週間先までの番組表が表示され、放送時間や出演者など、番組内容の表示や知りたい情報の検索、番組の視聴予約や録画予約を行うことができる。
【０００３】
チャンネル数の増加に伴い、視聴者が視聴したい番組の放送時間が増大し、また放送時間が重複したりすることが起きるため、番組を録画して視聴者の都合に合わせて番組を視聴する機会が増えてきた。
【０００４】
このような背景から、テレビ放送を受信するテレビ放送受信部と、録画を予約された放送番組を録画する番組記録部と、番組記録部が録画する番組の放送チャンネルおよび放送時間を録画番組情報として記録する録画番組情報記録部と、録画番組情報に基づき、録画済の番組情報を、放送チャンネル・放送時間を横軸・縦軸とする一覧表形式で表示する録画済番組表示処理を実行する表示制御部と、を備えたテレビ番組記録再生装置が提案されている（例えば特許文献１参照）。
【０００５】
また、過去の番組表を表示する際に、録画済番組が存在しない時間帯の番組表表示を省略したり、表示単位を段階的に大きくまとめたりすることにより、録画済番組にたどり着くまでのユーザーの手間を減らす一方、録画済番組が存在する時間帯と録画済番組が存在しない時間帯との時間軸の表示態様に変化を加えるとともに、録画済番組の表示と録画されていない番組の表示との明暗の調子や濃淡の調子に差をつけて録画済番組が視覚的に目立つような番組表となる録画済番組表表示装置が提案されている(例えば特許文献２参照)。
【先行技術文献】
【特許文献】
【０００６】
【特許文献１】特開２００６−０３３７０８号公報
【特許文献２】特開２０１０−０２８６１９号公報
【発明の概要】
【発明が解決しようとする課題】
【０００７】
特許文献１に示されたテレビ番組記録再生装置において、番組一覧表は、電子番組表データを基に作成した番組一覧表にさらに、終了した過去の番組の表示を同じ形式で表示している。録画をしていない番組については表示を行わないようにしたり、あるいは視覚的に目立たなく表示するようにしているが、録画をしていない番組の表示領域は依然として残っており、限られた表示領域が有効に利用されているわけではない。
【０００８】
特許文献２に示す録画済番組表表示装置は、ユーザーの手間を減らす工夫がされているが、録画済番組の表示と録画されていない番組の表示を時間軸だけでなくチャンネル軸にも適用する工夫や、録画指定された少なくとも１つのチャンネルの番組を録画指定された一連の時間帯に亘って同時に録画する機能(連続録画と呼ぶ)に対して、録画済番組表を適用する際の工夫については、必ずしも有効に利用されているわけではない。
【０００９】
多数のチューナを搭載し比較的大きな録画容量を持つ録画装置を内蔵したりまたは外部接続したデジタル放送受信機においては、複数の番組について同時に連続録画を行うことが可能となった。このような番組録画の場合には、録画された番組に関する情報を効率的に表示し、視聴者が録画番組を視聴する際に番組を容易に選択できる表示状態であることが望まれている。
【００１０】
本発明は上記したような事情に鑑み成されたものであって、録画済み番組の番組表を効率的に表示し、視聴者が録画番組を視聴する際に容易に録画番組を選択できる放送受信機および録画番組表示方法を提供することを目的とする。
【課題を解決するための手段】
【００１１】
本発明に係る放送受信機は、録画指定された少なくとも１つのチャンネルの番組を録画指定された時間帯に亘って録画し、前記時間帯のうちの最も古い一部の時間帯の少なくとも１つの録画番組を自動削除する録画処理部と、録画指定された前記少なくとも１つのチャンネルの録画番組であって録画指定された前記時間帯に含まれる録画番組についての表である録画番組表を生成し、前記録画番組表上に、録画番組が前記自動削除によって再生不能となった前記一部の時間帯を示すための表示を行う録画番組表生成部と、を具備する。
【００１２】
また、本発明の録画番組表示方法は、録画処理部が、録画指定された少なくとも１つのチャンネルの番組を録画指定された時間帯に亘って録画し、録画処理部が、前記時間帯のうちの最も古い一部の時間帯の少なくとも１つの録画番組を自動削除し、録画番組表生成部が、録画指定された前記少なくとも１つのチャンネルの録画番組であって録画指定された前記時間帯に含まれる録画番組についての表である録画番組表を生成し、前記録画番組表上に、録画番組が前記自動削除によって再生不能となった前記一部の時間帯を示すための表示を行う。
【図面の簡単な説明】
【００１３】
【図１】本発明によるデジタル放送受信機の実施の形態１の構成を示すブロック図。
【図２】番組表の例を示した図。
【図３】録画番組表の例を示す図。
【図４】番組の録画処理の動作フローを示した図。
【図５】録画番組表の生成と表示処理の動作フローを示した図。
【図６】録画番組表の実施の形態２を示した図。
【図７】録画番組表の実施の形態３を示した図。
【図８】録画番組表の実施の形態４を示した図。
【図９】録画番組表の実施の形態５を示した図。
【図１０】録画番組表の実施の形態６を示した図。
【図１１】録画番組表の実施の形態７を示した図。
【図１２】アーカイブの表示に関するマークの例を示した図。
【図１３】録画番組表の実施の形態８を示した図。
【図１４】録画番組表の実施の形態９を示した図。
【図１５】録画番組表の実施の形態１０における明示手段の一例を示した図。
【図１６】録画番組表の実施の形態１０における明示手段の他の例を示した図。
【図１７】録画番組表の実施の形態１０における明示手段のもう１つの他の例を示した図。
【図１８】録画番組表の実施の形態１１を示した図。
【図１９】録画番組表の実施の形態１３を示した図。
【図２０】録画指定外のチャンネルを録画設定変更する際の操作画面を示した図。
【図２１】録画番組表の実施の形態１４における明示手段の一例を示した図。
【図２２】録画番組表の実施の形態１４における明示手段の他の例を示した図。
【図２３】録画番組表の実施の形態１４における明示手段のもう１つの他の例を示した図。
【図２４】録画番組表の実施の形態１５を示した図。
【図２５】録画番組表の実施の形態１７を示した図。
【図２６】録画指定外の時間帯を録画設定変更する際の操作画面を示した図。
【図２７】録画番組表の実施の形態１８を示した図。
【図２８】録画番組表の実施の形態１９を示した図。
【発明を実施するための形態】
【００１４】
以下本発明の実施の形態について図面を参照しながら説明する。
【００１５】
（実施の形態１）
図１は、本発明によるデジタル放送受信機の実施の形態１の構成を示すブロック図である。アンテナ２は、放送局２５から送信された放送電波を受信するための地上デジタル放送あるいは衛星デジタル放送用のアンテナである。チューナ３ａ〜３ｆは、地上デジタル放送あるいは衛星デジタル放送の放送信号の中から所望のチャンネルの放送信号を選局し、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、デジタルの映像信号及び音声信号に復調され、信号処理部４に出力される。
【００１６】
信号処理部４は、チューナ３から供給されたデジタルの映像信号及び音声信号を選択的に所定のデジタル信号処理を施して、映像処理部５および音声処理部６へ出力する。信号処理部４は、ＭＰＥＧ（Moving Picture Experts Group）エンコーダ、ＭＰＥＧデコーダ、映像音声デコーダ等の機能を有する。
【００１７】
映像処理部５は、信号処理部４から入力されたデジタルの映像データと、バスを介して転送されるデータ放送やＧＵＩ（Graphical User Interface)によるウィンドウ描画をプレーン管理して、映像データとの重ね合わせを行い、表示処理部７に送る。
【００１８】
表示処理部７は、表示装置８で表示可能なフォーマット（画素数、フレーム周波数、走査方式）に変換したり、表示色を任意に調整したりして、表示装置８に出力して映像を表示させる。音声処理部６は、信号処理部４から入力されたデジタルの音声データを、スピーカ９で再生可能なアナログ音声信号に変換した後、スピーカ９に出力して音声を再生させる。
【００１９】
デジタル放送受信機１は、上記した受信動作を含むその全ての動作を制御部１１によって統括的に制御されている。制御部１１はＭＰＵ（Micro Processing Unit）１２が搭載されており、バス１０を介して接続された各構成要素を制御する。
【００２０】
ＲＡＭ（Random Access Memory）１３は、制御部１１のデータ処理に必要な各種データを格納するリード／ライトメモリであり、映像データ等を格納するバッファメモリとして動作する。ＲＯＭ（Read Only Memory）１４は読出し専用メモリであり、制御部１１が実行する制御のプログラムなどを格納している。
【００２１】
フラッシュメモリ１５は、書き換え可能であり、電源を切ってもデータが消えない不揮発性の半導体メモリである。フラッシュメモリ１５は、視聴者による各種映像設定や音声設定、録画や視聴予約等のデータを記憶する機能を有する。録画の際の指定チャンネルや指定時間等のデータについては一旦ＲＡＭ１３に記憶された後フラッシュメモリ１５に記憶される。
【００２２】
デジタル放送受信機１は、録画装置１６を備えている。録画装置１６は、ＨＤＤ（Hard Disk Drive）あるいはＳＳＤ（Solid State Drive）等を含む記録装置である。録画装置１６は、データバス１０に接続しているが、録画装置１６には情報を記録再生するためのインターフェース手段が搭載されており、該インターフェース手段を介してＨＤＤあるいはＳＳＤに放送番組等を録画し、また再生する。録画装置１６には、録画指定された複数のチャンネルの番組を録画指定された時間に亘って同時に録画することができる。
【００２３】
外部インターフェース１７は、ＵＳＢ（Universal Serial Bus）、ＩＥＥＥ１３９４（Institute of Electrical and Electronic Engineers 1394）、あるいはｅＳＡＴＡ(external Serial ATA(AT Attachment)）等のインターフェースであり、ＵＳＢメモリやＵＳＢ外部機器、ＨＤＤ、ＳＳＤ、ＣＤ−Ｒ／ＲＷ、ＤＶＤライター等のドライブ類を含む外部記録装置１８が接続される。外部インターフェース１７を介して外部記録装置１８に番組を録画することができる。番組を録画装置１６または外部記録装置１８のどちらの録画機器に録画するかは視聴者が選択できる。
【００２４】
デジタル放送には、通常コピー制御が施されており、１回だけ録画可能な番組については、コピーはできないが、移動（ムーブ）は可能である。移動（ムーブ）とはＨＤＤまたはＳＳＤに録画した番組の保存場所を変える（移動する）ことである。移動後はＨＤＤまたはＳＳＤに録画されていた番組は自動的に消去される。ダビング１０と呼ばれるようなＨＤＤまたはＳＳＤに録画した番組について９回コピーが可能で１０回目が移動（ムーブ）となる番組については、他のＨＤＤまたはＳＳＤ（同一のＨＤＤまたはＳＳＤの別パーティションを含む）にコピーしたり、ＤＶＤ等の光ディスクにコピーすることができる。本発明においては、録画装置１６または外部記録装置１８のＨＤＤまたはＳＳＤに録画した番組を他の録画装置または外部記録装置にコピーしたり移動（ムーブ）することをアーカイブと称することとにする。
【００２５】
操作受信部１９は、操作機器２０から送信される操作信号を受信し、制御部１１に転送する。操作機器２０は、例えば、赤外線あるいはBluetooth（登録商標）等による無線通信を利用したリモコン（リモートコントローラ、remote controller）、有線式あるいは無線式キーボード、マウス等であり、操作信号を送出する。操作受信部１９は、そのリモコン、キーボード、マウス等から操作信号を受信する。
【００２６】
デジタル放送受信機１は、送受信部２１を介してインターネット２６に接続されている。これにより、デジタル放送受信機１は、インターネット２６のネットワーク上にあるサーバ等の機器と送受信部２１を介して情報伝送を行なうことができる。
【００２７】
制御部１１は、録画番組表生成部２２の機能を有する。デジタル放送受信機１は、多数のチューナ３を搭載しており、複数の番組について同時に連続録画(録画指定された１つ又は複数のチャンネルを、録画指定された一連の時間帯に亘って同時に録画すること)の録画指定を行うことが可能である。録画番組表生成部２２は、視聴者により録画指定された複数のチャンネルと録画指定された時間における録画番組表を生成する。
【００２８】
視聴者は画面８ａ上のＥＰＧデータによる番組表を見ながら、番組を選択して録画または録画予約することができる。ＥＰＧは多チャンネル化が進む中で視聴者が容易に番組を選択することを目的に提供されている。新聞などにおけるテレビ番組欄の表示様態を真似てデジタル放送受信機１の表示装置８の画面８ａ上に表示している。視聴者は、画面８ａの番組表を見ながらリモコンを使って番組選択や詳細情報の表示、録画予約に利用する。
【００２９】
ＥＰＧデータによる番組表の表示様態は放送受信機メーカや放送受信機の機種によって異なっているが、デジタル放送受信機１においては、上述した新聞などにおけるテレビ番組欄のように横方向にチャンネル軸、縦方向に時間軸として表示し現在時刻以降に放送される番組が並ぶように表示されている。番組を選択するとその番組の番組名、放送日時以外に、番組のジャンル、出演者や番組内容等の詳細情報が表示される。
【００３０】
ＥＰＧデータは映像・音声などと同様にパケット化され、多重されて送信されている。番組情報のデータは、ＳＩ(Service Information、番組配列情報)のＥＩＴ(Event Information Table)に含まれており、信号処理部４からの出力された情報を制御部１１が解析して番組表を生成する。生成された番組表は、映像処理部５、表示処理部７と制御部１１によって構成された表示制御部２３によって表示装置８の画面８ａに表示される。
【００３１】
デジタル放送受信機１の録画機能の一つに、一つまたは複数のチャンネルと時間を指定し、録画指定された一つまたは複数のチャンネルの番組を録画指定された時間帯に亘って同時に録画する機能(以降、連続録画と呼ぶ)がある。録画指定された時間帯は一つまたは複数の時間帯でもよい。一つの時間帯とは一連の時間帯のことである。
【００３２】
図２は、ＥＰＧデータによる番組表の例を示した図である。番組表２７において複数のチャンネルと時間帯を指定して録画指定することができる。図２においては、１２月１２（木）の午前１０時から午後１時までの３時間に亘る時間帯について、１、２、４、５、６、７、８チャンネルの番組を録画指定した例を示している。録画指定した時間とチャンネルは背景色が変化して（網掛け部分）視聴者が時間帯とチャンネルを確認し易くなっている。同様にして、日時、時間帯、チャンネルを変えて他の予約指定をすることができる。
【００３３】
図３は、録画番組表の例を示す図である。録画番組表３０は表示装置８の画面８ａ上にほぼ画面８ａ一杯に表示される場合と画面８ａの中の範囲を指定して録画番組表の一部が表示される場合があるが、図３においては、ほぼ画面８ａ一杯に表示された場合を示している。録画番組表３０は録画番組表生成部２２によって生成され、表示制御部２３によって画面８ａに表示される。
【００３４】
録画番組表３０の基本的な表示様態はＥＰＧデータによる番組表の表示形態と同様に、画面８ａの横方向にチャンネルを示すチャンネル軸３１、縦方向に時間を示す時間軸３２が配置されている。通常のＥＰＧの番組表については、デジタル放送受信機１が受信可能なチャンネル全体および現在時刻以降の現在及び未来の連続した時間を対象としているが、これに対して録画番組表３０は、録画指定された複数のチャンネルと録画指定された時間帯における録画番組を対象として表示する。
【００３５】
録画番組表３０は、録画指定されたチャンネルと録画指定された時間帯だけを表示する。録画指定された時間帯は一つまたは複数の時間帯でもよい。受信可能なチャンネル数が数十チャンネルに及ぶと録画番組表に録画指定してないチャンネルを表示すると視聴者は視聴したい番組を検索するのに時間を要してしまう。また現在時刻以前の番組表全体を表示すると数日あるいはそれ以上経過すると表示サイズが大きくなり検索が面倒である。従って録画指定されたチャンネルと録画指定された時間帯だけを番組表の様式で表示することは視聴者にとってたいへん便利である。
【００３６】
図３において、チャンネル軸３１には録画指定したチャンネルが表示されている。８チャンネル分のチャンネル表示部３３ａ〜３３ｈが表示されている。リモコンのカーソルボタンを操作することにより、画面８ａに表示されていない他のチャンネルを右スクロールまたは左スクロールすることにより閲覧することができる。
【００３７】
時間軸３２には、録画指定した時間が表示されている。６時間分の時間表示部３４ａ〜３４ｆが表示されている。時間表示部３４ａは１２月１２日の午前１０時から午前１１時までの１時間の時間帯、時間表示部３４ｂは１２月１２日の午前１１時から午後０時までの１時間の時間帯、時間表示部３４ｃは１２月１２日の午後０時から午後１時までの１時間の時間帯を表し、時間表示部３４ａ〜３４ｃは３時間連続した時間帯を示している。時間表示部３４ｄは１２月１３日の午後１時から午後２時までの１時間の時間帯、時間表示部３４ｅは１２月１４日の午後１時から午後２時までの１時間の時間帯、時間表示部３４ｆは１２月１５日の午後１時から午後２時までの１時間の時間帯が表示されている。リモコンのカーソルボタンを操作することにより、画面８ａに表示されていない他の時間帯を上スクロールまたは下スクロールすることにより閲覧することができる。尚、時間軸３２は画面右側にも表示されている。
【００３８】
図３において、番組表示部３５の領域の部分は、図面の簡単化のため番組の分類名だけを記載しているが、チャンネル、時間別に録画番組名と簡単な番組紹介が記載されている。この記載内容はＥＰＧデータによる番組表の表示と同様である。番組が録画されるときには、ＥＰＧによる番組情報データも同時に記録され、録画番組表生成部２２が録画番組表３０を生成する際に利用される。
【００３９】
図３において、チャンネル表示部３３ａ〜３３ｈの内部にサムネイル表示部３６ａ〜３６ｈが配置されている。サムネイルとは、多数の画像を一覧表示するために縮小された画像のことである。画像は動画または静止画である。サムネイル表示部３６ａ〜３６ｈには、録画番組表３０を画面に表示した直後は、画面８ａに表示された最上部の時間表示部３４ａにおける各チャンネルの番組のサムネイルが表示されている。
【００４０】
図４は、番組の録画処理の動作フローを示した図である。一つまたは複数のチャンネルと時間を指定し、録画指定された一つまたは複数のチャンネルの番組を録画指定された時間に亘って同時に録画する場合の動作フローを説明する。図４（ａ）のＳ１１において、制御部１１は視聴者から録画チャンネルが指定されたかを判定する。視聴者は番組表を見ながらリモコン等にて録画したいチャンネルを指定する。制御部１１は、操作受信部１９からの信号を受けて録画チャンネルを設定する。
【００４１】
録画チャンネルが指定されない場合には図４（ｂ）に示す動作フローのＳ２１に移る。Ｓ２１において、制御部１１はリモコン等により「戻る」が選択されかどうかを判定する。選択されたならば、Ｓ２２へ移って前の状態に戻る。この場合の前の状態とは、録画処理に入る前の状態に復帰することである。「戻る」が選択されなかった場合には、Ｓ２３へ移って「終了」が選択されたかを判定する。「終了」が選択されたならば終了する。終了が選択されなかった場合には、Ｓ２４へ移って、所定時間が経過したかを判定する。所定時間が経過したならば終了する。所定時間は通常１分から２分の間で設定されている。所定時間が経過していない場合には、Ｓ１１に戻る。
【００４２】
Ｓ１２において、制御部１１は視聴者から録画時間が指定されたかを判定する。制御部１１は、操作受信部１９からの信号を受けて録画時間を設定する。録画時間が指定されない場合には図４（ｂ）に示す動作フローのＳ２１に移る。図４（ｂ）の動作については前述したので省略するが、所定時間が経過していない場合には、Ｓ１２に戻る。
【００４３】
Ｓ１３において、制御部１１は視聴者から録画機器が指定されたかを判定する。制御部１１は録画機器を録画装置１６または外部記録装置１８に設定する。録画機器が指定されない場合には図４（ｂ）に示す動作フローのＳ２１に移る。図４（ｂ）の動作については前述したので省略するが、所定時間が経過していない場合には、Ｓ１３に戻る。
【００４４】
Ｓ１４において、制御部１１は録画指定された複数のチャンネルの番組を録画指定された時間に亘って指定された録画機器に同時に録画する。
【００４５】
図５は、録画番組表の生成と表示処理の操作フローを示した図である。Ｓ３１において、制御部１１は、視聴者から録画番組表３０の表示指示があったかを判定する。制御部１１は、操作受信部１９からの表示指示の信号を受けてＳ３２に移行する。録画番組表３０の表示指示がない場合には、図４（ｂ）に示す動作フローのＳ２１に移る。図４（ｂ）の動作については前述したので省略するが、所定時間が経過していない場合には、Ｓ３１に戻る。
【００４６】
Ｓ３２において、録画番組表生成部２２は、フラッシュメモリ１５に記憶された録画の際の指定チャンネルや指定時間等のデータと、録画装置１６または外部記録装置１８に記録された番組情報等から録画番組表を生成する。Ｓ３３において、表示制御部２３は録画番組表を表示装置８の画面８ａに表示する。
【００４７】
（実施の形態２）
図６は、録画番組表の実施の形態２を示した図である。実施の形態２におけるデジタル放送受信機の構成を示すブロック図は、図１に示す実施の形態１のデジタル放送受信機１の各部と同一である。図３で示した実施の形態１と異なる点は、録画番組表４０は、時間軸３２において録画指定された時間の不連続となる境界部の表示様態が変更されていることである。図６において、境界線４１ａ、４１ｂ、４１ｃが濃い色の太い線で表示されており、視聴者は時間の不連続部分であることが容易に確認できる。不連続の部分であることを明示できればよいので、線の色や太さは任意に設定してよい。また線ではなく時間帯によって番組表示部３５の背景色を異なる色にしても不連続であることが容易に認識できる。
【００４８】
（実施の形態３）
図７は、録画番組表の実施の形態３を示した図である。実施の形態３におけるデジタル放送受信機の構成を示すブロック図は、図１に示す実施の形態１のデジタル放送受信機１の各部と同一である。図３で示した実施の形態１と異なる点は、時間軸において、再生を指定した番組の時間帯にマークを表示することにある。録画番組表５０において、例えば、左から３番目のチャンネル（４  １４１）で、上から３番目の時間帯の番組５１を視聴者が選択すると、この番組の枠が少し大きくなりハイライト表示され（網掛け部分）、時間軸３２の右側において、番組５１の時間軸の位置にマーク５２が表示される。仮想的に過去に遡った状態を録画番組表上で表現し、過去のどの時間帯にいるかを明示して、現在時刻とは全くことなる仮想日時にいることを視聴者に意識させるというものである。
【００４９】
図７において、マークは三角形であるが、他にいろいろな形状で表示することができる。また仮想的な日時をそのまま表示することにより、より仮想日時にいることを視聴者に意識させることができる。また、この時間帯の背景色を他の時間帯と異なる色にするようにしてもよい。
【００５０】
視聴者が番組５１を選択したとき、サムネイル表示部３６ｃのサムネイルは番組５１のサムネイルに切り換わる。なお、他のチャンネルのサムネイルは、最上部の時間表示部３４ａにおける各チャンネルの番組のサムネイルが表示されている。
【００５１】
（実施の形態４）
図８は、録画番組表の実施の形態４を示した図である。実施の形態４におけるデジタル放送受信機の構成を示すブロック図は、図１に示す実施の形態１のデジタル放送受信機１の各部と同一である。図３で示した実施の形態１と異なる点は、録画番組表６０において、視聴者が番組５１をカーソル操作で選択したとき、サムネイル表示部３６ｃのサムネイルだけではなく、サムネイル表示部３６ａ〜３６ｈのサムネイルが、番組５１の時間帯と同じ時間帯の番組のサムネイルに切り換わることである。つまり、時間軸において指定された時間帯のそれぞれの番組のサムネイル画像が表示されている。過去の同じ時間帯に録画された全ての番組のサムネイルを表示することにより、より仮想日時にいることを視聴者に意識させることができる。
【００５２】
録画番組表６０において、カーソル操作で指定する番組を時間軸方向（上下方向）に移動すると、それに応じてサムネイルが次々と切り換わる。例えば、番組６１を選択すると、時間表示部３４ｄの時間帯にある各番組のサムネイルがチャンネル毎に表示される。視聴者が同じ時間帯の他の番組の一端を確認する上でたいへん便利である。
【００５３】
（実施の形態５）
図９は、録画番組表の実施の形態５を示した図である。実施の形態５におけるデジタル放送受信機の構成を示すブロック図は、図１に示す実施の形態１のデジタル放送受信機１の各部と同一である。制御部１１は、録画装置１６または外部記録装置１８の記憶容量を超えないように最も古い時間帯の複数のチャンネルの録画番組を自動的に消去する。録画番組表７０は、消去途中の番組の消去部分の表示様態が変更されている。図９に示すように、例えば、時間表示部３４ａの時間帯の録画部分が消去されているとき、消去された部分（網掛け部分）の色を周囲と異なる色に変更してその部分が消去されたことを表示する。図９においては、その時間帯のほぼ半分の録画が消去された状態を示している。このようにすることによって、視聴者は、該当の番組が消去されていることを容易に確認することができる。
【００５４】
（実施の形態６）
図１０は、録画番組表の実施の形態６を示した図である。実施の形態６におけるデジタル放送受信機の構成を示すブロック図は、図１に示す実施の形態１のデジタル放送受信機１の各部と同一である。録画番組表８０は、録画途中の時間帯の複数の番組が表示されているとき、番組の未録画部分の表示様態が変更されている。録画番組表８０は、録画途中の番組の未録画部分の表示様態が変更されている。図１０に示すように、例えば、時間表示部３４ｆの時間帯の録画部分の一部が未録画のとき、未録画部分（網掛け部分）の色を周囲と異なる色に変更してその部分が未録画であることを表示する。図１０においては、その時間帯のほぼ半分が未録画である状態を示している。このようにすることによって、視聴者は、該当の番組が録画途中であることを容易に確認することができる。
【００５５】
（実施の形態７）
図１１は、録画番組表の実施の形態７を示した図である。実施の形態７におけるデジタル放送受信機の構成を示すブロック図は、図１に示す実施の形態１のデジタル放送受信機１の各部と同一である。本発明においては、録画装置１６または外部記録装置１８のＨＤＤまたはＳＳＤに録画した番組を他の録画装置または外部記録装置にコピーしたり移動（ムーブ）することをアーカイブと称することとする。アーカイブ済みである番組には、その番組を録画番組表９０からは再生できない、あるいはそれ以上アーカイブできない等の制限が発生するため、他の録画番組と区別がつくよう表示すると視聴者の利便性が向上する。
【００５６】
図１１において、番組表示部３５の領域の番組９１には、その番組がアーカイブ済みであり、その内容が移動済みであることを表示している。番組９２はその番組がアーカイブ済みであり、ダビング１０の番組であることを表示している。番組９３はその番組がアーカイブ済みであり、あと８回アーカイブが可能であることを示している。
【００５７】
図１２は、アーカイブの表示に関するマークの例を示した図である。例えばディスクに類似したディスクマークをアーカイブに関連するマークとして設定する。このディスクマークの後ろにＭ字が付随した表示はアーカイブ済みであり、さらにムーブ済みであることを表示する。ディスクマークの後ろに１０と矢印を組み合わせたマークを付随した表示はアーカイブ済みでありダビング１０の番組であることを表示する。ディスクマークの後ろに、例えば、８と矢印を組み合わせたマークを付随した表示はアーカイブ済みであり、あと８回アーカイブが可能であることを表示する。ディスクマークが点滅している場合にはその番組がアーカイブ中であることを示す。ディスクマークの前に時計マークがある場合には、その番組がアーカイブ予約されていることを表示する。アーカイブ予約とは、現在の録画装置が将来、容量的に一杯になった場合などに他の別の記録装置にコピー又移動させることを予約しておくものであり、これにより録画装置が容量的に一杯になった場合に自動的に古いものから順に消去されて残すべき番組が無くなってしまうのを防ぐために用いられる。
【００５８】
なお、マークはディスクマークに限られるものではなく任意に設定してよい。またアーカイブ中のマークは点滅ではなく、マークの色を変えたり、マークの色を周期的に変更させてもよい。アーカイブ予約についても時計マークに限られるものではなく、他の相応しいマークでもよい。
【００５９】
（実施の形態８）
図１３は、録画番組表の実施の形態８を示した図である。実施の形態８におけるデジタル放送受信機の構成を示すブロック図は、図１に示す実施の形態１のデジタル放送受信機１の各部と同一である。アーカイブ中である番組には、その番組を録画番組表１００からは再生できない、あるいは重複してアーカイブできない等の制限が発生するため、他の録画番組と区別がつくよう表示すると視聴者の利便性が向上する。
【００６０】
図１３において、番組表示部３５の領域の番組１０１には、ディスクマークが点滅し、その番組がアーカイブ中であることを表示している。アーカイブ中のマークは点滅ではなく、マークの色を変えたり、マークの色を周期的に変更させてもよい。
【００６１】
（実施の形態９）
図１４は、録画番組表の実施の形態９を示した図である。実施の形態９におけるデジタル放送受信機の構成を示すブロック図は、図１に示す実施の形態１のデジタル放送受信機１の各部と同一である。アーカイブを事前予約(スケジューリング)中である番組には、その番組を録画番組表１１０からは再生できない、あるいは重複してアーカイブ予約できない等の制限が発生するため、他の録画番組と区別がつくよう表示すると視聴者の利便性が向上する。
【００６２】
図１４において、番組表示部３５の領域の番組１１１には、時計マークとディスクマークが並んで表示されており、その番組がアーカイブ予約されていることを表示している。番組１１２には、時計マークとディスクマークが並んで表示されており、その番組がアーカイブ予約されていることを表示している。アーカイブ予約を示すマークについては、時計マークに限られるものではなく、他の相応しいマークでもよい。
【００６３】
以上のように録画番組表において、番組がアーカイブ済みであった場合には、視聴者がそれを容易に認識できるように番組毎に表示することによって、アーカイブ済みによる制限を事前に察知することが可能となる。また、アーカイブ中あるはアーカイブ予約済みであることについても番組毎に表示することによって視聴者がそれを容易に認識できる。
【００６４】
（実施の形態１０）
図１５乃至図１７は、録画番組表の実施の形態１０を示した図である。実施の形態１０におけるデジタル放送受信機の構成を示すブロック図は、図１に示す実施の形態１のデジタル放送受信機１の各部と同一である。図１５乃至図１７において、図３と同一部分には同一符号を付して説明する。実施の形態１０は録画指定の対象がチャンネルの場合である。
【００６５】
図１５乃至図１７においては、録画装置１６が録画指定された少なくとも１つのチャンネルの番組を録画指定された時間帯に亘って同時に録画する連続録画を行うものである。録画番組表１２０は、チャンネル軸と時間軸とを有し、録画された連続録画の過去番組を表示するものであって、録画対象でないチャンネルも現在/未来番組を表示する電子番組表(ＥＰＧ)と同様の順番と幅で全て表示し、その場合録画対象に指定されていないチャンネルの領域は録画指定されたチャンネルの領域と区別可能なように明示手段にて明示する。
【００６６】
以下に、図１５乃至図１７の各図における明示手段について説明する。  
図１５は録画番組表の実施の形態１０における明示手段の一例を示している。  
図１５に示す明示手段は、録画対象に指定されていない領域は録画指定された領域に対して、録画指定されている領域よりも明るさを下げた暗い表示としたり、或いは、番組を示す文字等を透かせて表示する透かし表示とする。図１５では、番組表示部３５におけるチャンネル８の録画対象に指定されていない領域１２１を網掛けで示し、チャンネル８のサムネイル表示部３６ｇをサムネイル表示ではなくて放送局のロゴで表示している。
【００６７】
図１６は録画番組表の実施の形態１０における明示手段の他の例を示している。  
図１６に示す明示手段は、録画対象に指定されていない領域は録画指定された領域に対して、録画対象に指定されていないことを示すアイコン１２２で表示している。図１６では、図１５と同様に、番組表示部３５におけるチャンネル８の録画対象に指定されていない領域１２１を網掛けで示し、チャンネル８のサムネイル表示部３６ｇをサムネイル表示ではなくて放送局のロゴで表示している。
【００６８】
図１７は録画番組表の実施の形態１０における明示手段のもう１つの他の例を示している。  
図１７に示す明示手段は、録画対象に指定されていない領域は録画指定された領域１２１に対して、録画設定されていないチャンネルであることを記述した文字１２３によって示している。図１７では、図１５と同様に、番組表示部３５におけるチャンネル８の録画対象に指定されていない領域１２１を網掛けで示し、チャンネル８のサムネイル表示部３６ｇをサムネイル表示ではなくて放送局のロゴで表示している。
【００６９】
（実施の形態１１）
図１８は、録画番組表の実施の形態１１を示した図である。実施の形態１１におけるデジタル放送受信機の構成を示すブロック図は、図１に示す実施の形態１のデジタル放送受信機１の各部と同一である。図１８において、図３と同一部分には同一符号を付して説明する。
【００７０】
図１８においては、録画装置１６が録画指定された少なくとも１つのチャンネルの番組を録画指定された時間帯に亘って同時に録画する連続録画を行うものである。録画番組表１３０は、チャンネル軸と時間軸とを有し、録画された連続録画の過去番組を表示するものであって、録画対象でないチャンネルも現在/未来番組を表示する電子番組表(ＥＰＧ)と同様の順番で全て表示するが、チャンネル軸方向の領域１３１の幅１３２を例えば半分に圧縮して表示し、録画対象に指定されていないことを明示する。図１８では、図１５と同様に、番組表示部３５におけるチャンネル８の録画対象に指定されていない領域１３１を網掛けで示し、チャンネル８のサムネイル表示部３６ｇをサムネイル表示ではなくて放送局のロゴで表示している。
【００７１】
（実施の形態１２）
録画番組表の実施の形態１２は例えば図１５乃至図１７に対して適用されるものである。実施の形態１２におけるデジタル放送受信機の構成を示すブロック図は、図１に示す実施の形態１のデジタル放送受信機１の各部と同一である。
【００７２】
図１５乃至図１７のいずれか１つにおいては、録画番組表１２０上に置かれたカーソルをチャンネル軸３１の方向に移動する際、録画対象に指定されていないチャンネル(図ではチャンネル８)の領域１２１では、カーソル操作でフォーカスがされずにカーソル(図示略)がスキップされて録画番組選択は不可能とされる一方、カーソルが録画対象チャンネル内の領域(番組表示部３５におけるチャンネル領域１２１以外の領域)では録画番組選択を可能とする。カーソルの移動は、通常、番組ごとにカーソル箇所が反転表示されて行くことによって行えるようになっている。なお、本カーソル操作の実施形態に関しては、前述の図１８の実施の形態１１に対しても適用してもよい。
【００７３】
これにより、図１５乃至図１８の実施形態において、録画番組選択するに際してカーソルをチャンネル軸３１の方向に移動する場合に、録画対象に指定されていないチャンネル領域１２１又は１３１をスキップして移動できるので、カーソルの操作性を良くすることが可能となる。
【００７４】
（実施の形態１３）
図１９及び図２０は、録画番組表の実施の形態１３を示した図である。  
図１９は録画番組表を示し、図２０は録画指定外のチャンネルを録画設定変更する際の操作画面を示している。
【００７５】
図１９においては、録画番組表１４０上にカーソルをチャンネル軸方向に移動する際に、録画対象に指定されていないチャンネル(例えば番組表示部３５におけるチャンネル８)の領域１４１に、カーソル操作でフォーカスを合わせることが可能とされており、録画対象に指定されていないチャンネル(例えば番組表示部３５におけるチャンネル８)を録画対象へと追加するように設定変更可能である。この実施形態１３における、録画指定されていないチャンネル領域１４１には、「次回このチャンネルを録画したい場合にはここで決定を押して下さい」の文字表示１４２がなされており、録画対象への設定変更が可能であることをユーザーに知らせるようにしている。
【００７６】
図１９の録画番組表１４０上でカーソルをチャンネル軸方向に移動して、録画対象に指定されていないチャンネル領域１４１(図示の網掛け部分)に入った場合にその位置でカーソル移動を止めて(即ちフォーカスして)リモコンなどの操作機器２０で決定ボタンを押すと、図２０に示すような連続録画設定変更の操作画面が表示され、録画指定のされていないチャンネル８につき、連続録画対象へと追加するか否かの設定変更が可能となる。
【００７７】
この実施形態は、実施の形態１２と比較すると、カーソル操作において反対の作用をするものであり、録画対象に指定されていないチャンネルをスキップせずに、録画指定されていないチャンネル領域１４１内にカーソルのフォーカスを合わせることが可能であり、これによって図２０の操作画面にて録画指定されていないチャンネルを録画対象チャンネルへと設定変更することができる。
【００７８】
（実施の形態１４）
図２１乃至図２３は、録画番組表の実施の形態１４を示した図である。実施の形態１４におけるデジタル放送受信機の構成を示すブロック図は、図１に示す実施の形態１のデジタル放送受信機１の各部と同一である。図２１乃至図２３において、図３と同一部分には同一符号を付して説明する。実施の形態１４は録画指定の対象が時間帯の場合である。
【００７９】
図２１乃至図２３においては、録画装置１６が録画指定された少なくとも１つのチャンネルの番組を録画指定された時間帯に亘って同時に録画する連続録画を行うものである。録画番組表１５０は、チャンネル軸と時間軸とを有し、録画された連続録画の過去番組を表示するものであって、録画指定されていない時間帯も現在/未来番組を表示する電子番組表(ＥＰＧ)と同様の順番と幅で全て表示し、その場合録画指定されていない時間帯の領域１５１は録画指定された時間帯の領域と区別可能なように明示手段にて明示する。
【００８０】
図２１は録画番組表の実施の形態１４における明示手段の一例を示している。  
図２１に示す明示手段は、録画対象に指定されていない領域は録画指定された領域に対して、録画指定されている領域よりも明るさを下げた暗い表示としたり、或いは、番組を示す文字等を透かせて表示する透かし表示としている。図２１では、番組表示部３５における録画対象に指定されていない時間帯の領域１５１を網掛けで示している。
【００８１】
図２２は録画番組表の実施の形態１４における明示手段の他の例を示している。  
図２２に示す明示手段は、録画対象に指定されていない領域は録画指定された領域に対して、録画対象に指定されていないことを示すアイコン１５２で表示している。図２２では、図２１と同様に、番組表示部３５における録画対象に指定されていない時間帯の領域１５１を網掛けで示している。
【００８２】
図２３は録画番組表の実施の形態１４における明示手段のもう１つの他の例を示している。  
図２３に示す明示手段は、録画対象に指定されていない領域は録画指定された領域１５１に対して、録画設定されていない時間帯であることを記述した文字１５３によって示している。図２３では、図２１と同様に、番組表示部３５における録画対象に指定されていない時間帯の領域１５１を網掛けで示している。
【００８３】
（実施の形態１５）
図２４は、録画番組表の実施の形態１５を示した図である。実施の形態１５におけるデジタル放送受信機の構成を示すブロック図は、図１に示す実施の形態１のデジタル放送受信機１の各部と同一である。図２４において、図３と同一部分には同一符号を付して説明する。
【００８４】
図２４においては、録画装置１６が録画指定された少なくとも１つのチャンネルの番組を録画指定された時間帯に亘って同時に録画する連続録画を行うものである。録画番組表１６０は、チャンネル軸と時間軸とを有し、録画された連続録画の過去番組を表示するものであって、録画対象でない時間帯も現在/未来番組を表示する電子番組表(ＥＰＧ)と同様の順番で全て表示するが、時間軸方向の領域１６１の幅１６２を例えば半分に圧縮して表示し、録画対象に指定されていないことを明示する。図２４では、図２１と同様に、番組表示部３５における録画対象に指定されていない時間帯の領域１６１を網掛けで示している。
【００８５】
（実施の形態１６）
録画番組表の実施の形態１６は例えば図２１乃至図２３に対して適用されるものである。実施の形態１６におけるデジタル放送受信機の構成を示すブロック図は、図１に示す実施の形態１のデジタル放送受信機１の各部と同一である。
【００８６】
図２１乃至図２３のいずれか１つにおいては、録画番組表１５０上に置かれたカーソルを時間軸３２の方向に移動する際、録画対象に指定されていない時間帯の領域１５１()では、カーソル操作でフォーカスがされずにカーソル(図示略)がスキップされて録画番組選択は不可能とされる一方、カーソルが録画指定時間帯内の領域(番組表示部３５における時間帯領域１５１以外の領域)では録画番組選択を可能とする。カーソルの移動は、通常、番組ごとにカーソル箇所が反転表示されて行くことによって行えるようになっている。なお、本カーソル操作の実施形態に関しては、前述の図２４の実施の形態１５に対しても適用してもよい。
【００８７】
これにより、図２１〜図２４の実施形態において、録画番組選択するに際してカーソルを時間軸３２の方向に移動する場合に、録画対象に指定されていない時間帯の領域１５１又は１６１をスキップして移動できるので、カーソルの操作性を良くすることが可能となる。
【００８８】
（実施の形態１７）
図２５及び図２６は、録画番組表の実施の形態１７を示した図である。  
図２５は録画番組表を示し、図２６は録画指定外の時間帯を録画設定変更する際の操作画面を示している。実施の形態１７におけるデジタル放送受信機の構成を示すブロック図は、図１に示す実施の形態１のデジタル放送受信機１の各部と同一である。
【００８９】
図２５においては、録画番組表１７０上にカーソルを時間軸方向に移動する際に、録画対象に指定されていない時間帯１７１に、カーソル操作でフォーカスを合わせることが可能とされており、録画対象に指定されていない時間帯１７１を録画対象へと追加するように設定変更可能である。この実施形態１７における、録画指定されていない時間帯１７１には、「次回この時間帯を録画したい場合にはここで決定を押して下さい」の文字表示１７２がなされており、録画対象への設定変更が可能であることをユーザーに知らせるようにしている。
【００９０】
図２５の録画番組表１７０上でカーソルを時間軸方向に移動して、録画対象に指定されていない時間帯１７１(図示の網掛け部分)に入った場合にその位置でカーソル移動を止めて(即ちフォーカスして)リモコンなどの操作機器２０で決定ボタンを押すと、図２６に示すような連続録画設定変更の操作画面が表示され、録画指定のされていない時間帯につき、連続録画対象へと追加するか否かの設定変更が可能となる。
【００９１】
この実施形態は、実施の形態１６と比較すると、カーソル操作において反対の作用をするものであり、録画対象に指定されていない時間帯をスキップせずに、録画指定されていない時間帯１７１内にカーソルのフォーカスを合わせることが可能であり、これによって図２６の操作画面にて録画指定されていない時間帯を録画指定時間帯へと設定変更することができる。
【００９２】
（実施の形態１８）
図２７は、録画番組表の実施の形態１８を示した図である。実施の形態１８におけるデジタル放送受信機の構成を示すブロック図は、図１に示す実施の形態１のデジタル放送受信機１の各部と同一である。図２７において、図３と同一部分には同一符号を付して説明する。
【００９３】
図２７においては、録画装置１６が録画指定された少なくとも１つのチャンネルの番組を録画指定された時間帯に亘って同時に録画する連続録画を行うものである。録画番組表１８０は、チャンネル軸と時間軸とを有し、録画された連続録画の過去番組を表示するものであって、録画指定されていない時間帯を時刻単位での１時間単位で区切った部分を削除して非表示とし、その区切りによる削除及び非表示の結果生じた１時間単位未満の残り部分を録画指定時間外の領域であるとして明示することによって、それ以外の録画指定時間領域を区別可能にする。明示する方法としては、録画指定時間外の領域部分を録画指定時間帯の領域に対して暗くしたり透かし表示にしたりする等の方法を用いることができる。
【００９４】
例えば、毎日同じ時間帯を繰り返し録画する場合を例として説明すると、例えば６／２(水)及び６／３(木)の午前６時３０分から同８時３０分までの時間帯を録画指定して複数のチャンネルについて毎日連続録画した場合、録画した日ごとに、午前６時３０分から同８時３０分まで以外の時間は全て録画指定しなかった時間帯であり、録画指定されなかった時間帯は６／２(水)及び６／３(木)の２日間では午前８時３０分から次の日の午前６時３０分までの時間となるが、この録画指定されない時間帯を時刻単位での１時間単位で区切った部分を削除して非表示として繋ぎ複数の録画指定された時間帯同士を連結可能にし、その区切りによる削除及び非表示の結果生じた１時間単位未満の残り部分を録画指定時間外の領域であるとして明示することによって、それ以外の録画指定時間帯である午前６時３０分から同８時３０分までを区別可能とすることができる。つまり、録画指定されない午前８時３０分から次の日の午前６時３０分までの時間帯は、時刻単位での１時間単位で区切ると、午前９時から次の日の午前６時までの２１時間分ありこれを削除すると、録画指定されていない時間帯の１時間単位未満の残り部分は、図２７における符号１８２(網掛け部分)で示す３０分間部分と、符号１８３(網掛け部分)で示す３０分間部分となり、さらに録画番組表１８０の上端部分の符号１８１(網掛け部分)で示す３０分間部分と、録画番組表１８０の下端部分の符号１８４(網掛け部分)で示す３０分間部分となる。これらの４つの網掛け部分１８１〜１８４が上述の明示方法によって明示されることになる。
【００９５】
なお、この実施形態１８は、少なくとも１つのチャンネルに対して、毎日同じ時間帯を繰り返し録画する場合に限らず、即ち少なくとも１つのチャンネルに対して、毎日や毎週に限らず、所定の１日における複数の時間帯、或いは、所定の複数の日における複数の時間帯を録画指定した場合のように、複数の時間帯での録画済番組を録画番組表として記録し表示する場合においても同様に適用することができる。
【００９６】
（実施の形態１９）
図２８は、録画番組表の実施の形態１９を示した図である。実施の形態１９におけるデジタル放送受信機の構成を示すブロック図は、図１に示す実施の形態１のデジタル放送受信機１の各部と同一である。
【００９７】
図２８においては、録画装置１６が録画指定された少なくとも１つのチャンネルの番組を録画指定された時間帯に亘って同時に録画する連続録画を行うものである。図２８(a)及び(b)に示す複数(２つ)の録画番組表は、横方向のチャンネル軸と縦方向の時間軸とを有し、録画された連続録画の過去番組を表示するものであって、録画指定されている複数の時間帯をその時間帯ごとに区切って別ページとし、各録画指定時間帯をページ切換えして表示するものである。
【００９８】
この実施の形態１９は、例えば図２７に示した実施形態１８における録画番組表１８０に示された複数(図２７では２つ)の録画指定時間帯をその時間帯ごとに区切って別ページとし、複数の録画指定時間帯をページ切換えして順次に表示する。ページ切換えには画面上に表示される切換えボタンなどに対してカーソル操作を用いて行う。図２８において、(a)は６／２(水)の午前６時３０分から同８時３０分までの録画指定時間帯を、(b)は６／３(木)の午前６時３０分から同８時３０分までの録画指定時間帯を、頁１，頁２のように別ページに表示した録画番組表を示している。
【００９９】
なお、この実施形態１９についても、実施形態１８の場合と同様に、少なくとも１つのチャンネルに対して、毎日同じ時間帯を繰り返し録画する場合に限らず、即ち少なくとも１つのチャンネルに対して、毎日や毎週に限らず、所定の１日における複数の時間帯、或いは、所定の複数の日における複数の時間帯を録画指定した場合のように、複数の時間帯での録画済番組を録画番組表として記録し表示する場合においても同様に応用することができる。
【０１００】
以上述べた実施の形態１５〜１９によれば、通常のEPGでは録画指定していないチャンネルや時間帯もそのまま表示するが、録画済番組を表示する本実施の形態の録画番組表では特に連続録画を行った番組表を生成する際に、その録画指定していない部分に録画指定されていないことにより録画番組がないことをユーザーに明示したり、録画番組がないことを示す表示幅を圧縮することにより効率的に表示させる。さらには、その録画指定外のチャンネルや時間帯を選択することにより、録画指定し直す変更を容易に行うこともできる。また、録画番組表における録画指定された番組からカーソル操作で選択する際に、録画指定外の領域をカーソル移動の際にスキップして、カーソル操作の操作性を向上させることも可能となる。さらに、所定の日数、例えば1日分の録画番組表の中で、録画指定する時間帯の数が少なかったり、時間帯の時間長が短く、録画番組表に占める録画指定領域が少ないような場合では、録画指定外の領域を、録画指定時間帯を効果的に明示するために用いる領域以外は削除することで、録画済番組を選択する際の選択性を良好にすることも可能となる。さらには、録画指定時間帯のみを抽出して複数の録画指定時間帯をそれぞれ別ページとし、ページ切換えによって選択表示することで、録画済番組を選択する際の選択性を良好にすることも可能となる。
【０１０１】
尚、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【０１０２】
１…デジタル放送受信機、２…アンテナ、３ａ〜３ｆ…チューナ、４…信号処理部、５…映像処理部、６…音声処理部、７…表示処理部、８…表示装置、９…スピーカ、１０…バス、１１…制御部、１２…ＭＰＵ、１３…ＲＡＭ、１４…ＲＯＭ、１５…フラッシュメモリ、１６…録画装置、１７…外部インターフェース、１８…外部記録装置、１９…操作受信部、２０…操作機器、２１…送受信部、２２…録画番組表生成部、２３…表示制御部、２５…放送局、２６…インターネット、２７…番組表、３０…録画番組表、３１…チャンネル軸、３２…時間軸、３３ａ〜３３ｈ…チャンネル表示部、３４ａ〜３４ｆ…時間表示部、３５…番組表示部、３６ａ〜３６ｈ…サムネイル表示部、４０…録画番組表、４１a〜４１ｃ…境界線、５０…録画番組表、５１…番組、５２…マーク、６０…録画番組表、６１…番組、７０…録画番組表、８０…録画番組表、９０…録画番組表、１００…録画番組表、１１０…録画番組表、１２０…録画番組表、１２１…録画指定されていないチャンネル領域、１３０…録画番組表、１３１…録画指定されていないチャンネル領域、１４０…録画番組表、１４１…録画指定されていないチャンネル領域、１５０…録画番組表、１５１…録画指定されていない時間帯、１６０…録画番組表、１６１…録画指定されていない時間帯、１７０…録画番組表、１７１…録画指定されていない時間帯、１８０…録画番組表。
【図１】
2011176893.tif 000003
【図２】
2011176893.tif 000004
【図３】
2011176893.tif 000005
【図４】
2011176893.tif 000006
【図５】
2011176893.tif 000007
【図６】
2011176893.tif 000008
【図７】
2011176893.tif 000009
【図８】
2011176893.tif 000010
【図９】
2011176893.tif 000011
【図１０】
2011176893.tif 000012
【図１１】
2011176893.tif 000013
【図１２】
2011176893.tif 000014
【図１３】
2011176893.tif 000015
【図１４】
2011176893.tif 000016
【図１５】
2011176893.tif 000017
【図１６】
2011176893.tif 000018
【図１７】
2011176893.tif 000019
【図１８】
2011176893.tif 000020
【図１９】
2011176893.tif 000021
【図２０】
2011176893.tif 000022
【図２１】
2011176893.tif 000023
【図２２】
2011176893.tif 000024
【図２３】
2011176893.tif 000025
【図２４】
2011176893.tif 000026
【図２５】
2011176893.tif 000027
【図２６】
2011176893.tif 000028
【図２７】
2011176893.tif 000029
【図２８】
2011176893.tif 000030